(57)【要約】【課題】被合成画像の枚数が異なる複数の合成画像を適正露出とし、適正露出とされた複数の合成画像の中から、所望する画像に最も近い合成画像をユーザに選択させることを可能とするカメラを提供することを目的とする。【解決手段】被写体の像を撮影してマイナス露出の画像を取得する撮像装置と、該撮像装置により取得される複数の画像から選択した枚数の異なる複数組の画像を合成して複数の合成画像を生成する画像合成部と、前記撮像装置により取得された複数の画像を合成した際の合成画像の露出情報に対する適正露出の画像の露出情報の比率を、取得された画像または前記合成画像の輝度情報に乗算する輝度情報補正部とを備えるカメラを採用する。【選択図】図３
2009055278.tif 000002
【特許請求の範囲】
【請求項１】
被写体の像を撮影してマイナス露出の画像を取得する撮像装置と、
該撮像装置により取得される複数の画像から選択した枚数の異なる複数組の画像を合成して複数の合成画像を生成する画像合成部と、
前記撮像装置により取得された複数の画像を合成した際の合成画像の露出情報に対する適正露出の画像の露出情報の比率を、取得された画像または前記合成画像の輝度情報に乗算する輝度情報補正部とを備えるカメラ。
【請求項２】
前記適正露出の画像を合成するために必要とされる画像の必要枚数を設定する画像枚数設定部と、
該画像枚数設定部により設定された必要枚数に基づいて、前記撮像装置の露出を調節する露出調節部とを備える請求項1に記載のカメラ。
【請求項３】
前記合成画像の露出情報が、前記画像合成部により当該合成画像の合成に使用される画像の枚数であり、
前記適正露出の画像の露出情報が、前記画像枚数設定部により設定された画像の必要枚数である請求項２に記載のカメラ。
【請求項４】
前記撮像装置により取得された画像の中の被写体を検出する被写体検出部と、
該被写体検出部により検出された被写体の平均輝度値を算出する平均輝度値算出部とを備え、
前記合成画像の露出情報が、前記画像合成部により当該合成画像の合成に使用される画像について前記平均輝度値算出部により検出された被写体の平均輝度値の合計であり、
前記適正露出の画像の露出情報が、予め設定された平均輝度値である請求項２に記載のカメラ。
【請求項５】
前記画像合成部により生成された複数の合成画像に縮小処理を施して、サムネイル画像を生成する縮小処理部と、
前記縮小処理部により生成されたサムネイル画像を表示する表示部とを有する請求項１から請求項４のいずれかに記載のカメラ。
【発明の詳細な説明】
【技術分野】
【０００１】
本発明は、複数の画像の合成処理を行うカメラに関するものである。
【背景技術】
【０００２】
従来、複数の画像の中から予め設定された条件に基づいて所定枚数の画像を選択し、選択した所定枚数の画像を合成する技術が知られている（例えば、特許文献１参照。）。この技術は、予め設定された条件を満足する画像のみを用いて合成画像を作成することにより、合成画像の画質を向上させることを目的としている。
【０００３】
ところで、例えば連写撮影により複数枚の画像を撮影した際、各画像は十分な露光時間を得られないことが多く、暗めに撮影した画像を合成して適正露出の画像を得る場合がある。この場合において、撮影開始後、画像の合成完了前に合成画像の構図やフォーカスなどを確認することを目的として、1枚の被合成画像の明るさを補正して表示する技術が知られている（例えば、特許文献２参照。）。
【特許文献１】特開２００６−２４６３０９号公報
【特許文献２】特開２００６−５４６９８号公報
【発明の開示】
【発明が解決しようとする課題】
【０００４】
しかしながら、上記技術において、明るさの補正は、あくまで合成画像の構図やフォーカスなどを画像の合成完了前に確認するために行われるものであり、最終的に適正露出の合成画像を得るためには、所定の枚数の被合成画像が必要となる。そのため、例えば、被合成画像の枚数が所定の枚数に満たない場合には、合成画像を得ることができない、あるいは露出不足の合成画像しか得ることができないという不都合があった。
【０００５】
また、例えば、動きのある被写体を撮影する場合、被合成画像の枚数によって合成画像の構図が変化するため、被合成画像の枚数が異なる複数の合成画像をユーザが確認し、所望する画像に最も近い合成画像を選択したいという要請があった。
【０００６】
本発明は、上記事情に鑑みてなされたもので、被合成画像の枚数が異なる複数の合成画像を適正露出とし、適正露出とされた複数の合成画像の中から、所望する画像に最も近い合成画像をユーザに選択させることを可能とするカメラを提供することを目的とする。
【課題を解決するための手段】
【０００７】
上記課題を解決するために、本発明は以下の手段を採用する。
本発明は、被写体の像を撮影してマイナス露出の画像を取得する撮像装置と、該撮像装置により取得される複数の画像から選択した枚数の異なる複数組の画像を合成して複数の合成画像を生成する画像合成部と、前記撮像装置により取得された複数の画像を合成した際の合成画像の露出情報に対する適正露出の画像の露出情報の比率を、取得された画像または前記合成画像の輝度情報に乗算する輝度情報補正部とを備えるカメラを採用する。
【０００８】
本発明によれば、撮像装置によりマイナス露出で取得された複数の画像から選択した枚数の異なる複数組の画像を画像合成部により合成し、取得された画像または合成画像の輝度情報を輝度情報補正部により補正することによって、合成枚数の異なる複数の合成画像を適正露出とすることができる。その結果、複数の画像を重ね合わせる多重露光撮影を、条件を変えて複数回行った場合と同等の効果を得ることができ、所望の画像に近い合成画像を得ることが可能となる。
【０００９】
ここで、シャッタスピードを速くすることにより得られたマイナス露出の画像を合成することにより、ブレのない鮮明な適正露出の画像を得ることができる。また、絞りを絞ることにより得られたマイナス露出の画像を合成することにより、被写界深度の深い適正露出の画像を得ることができる。さらに、感度を低下させることにより得られたマイナス露出の画像を合成することにより、ノイズの少ない適正露出の画像を得ることができる。
【００１０】
また、上記発明において、前記適正露出の画像を合成するために必要とされる画像の必要枚数を設定する画像枚数設定部と、該画像枚数設定部により設定された必要枚数に基づいて、前記撮像装置の露出を調節する露出調節部とを備えてもよい。
【００１１】
このようにすることで、画像枚数設定部により必要枚数が設定されると、露出調節部によりその必要枚数の画像を合成した合成画像の露出が適正露出となるように、撮像装置の露出が調節される。したがって、必要枚数の画像を合成する場合には、合成により適正露出の合成画像を容易に生成することができる。また、必要枚数に満たない画像を合成する場合には、その輝度情報を増幅して適正露出の合成画像を得ることができる。
【００１２】
また、上記発明において、前記合成画像の露出情報が、前記画像合成部により当該合成画像の合成に使用される画像の枚数であり、前記適正露出の画像の露出情報が、前記画像枚数設定部により設定された画像の必要枚数であってもよい。
【００１３】
このようにすることで、輝度情報補正部により、設定された画像の必要枚数と当該合成画像の合成に使用される画像の枚数との比率が、合成前の画像または合成画像の輝度情報に乗算され、より容易に適正露出の合成画像を生成することができる。
【００１４】
また、上記発明において、前記撮像装置により取得された画像の中の被写体を検出する被写体検出部と、該被写体検出部により検出された被写体の平均輝度値を算出する平均輝度値算出部とを備え、前記合成画像の露出情報が、前記画像合成部により当該合成画像の合成に使用される画像について前記平均輝度値算出部により検出された被写体の平均輝度値の合計であり、前記適正露出の画像の露出情報が、予め設定された平均輝度値であってもよい。
【００１５】
このようにすることで、予め設定された適正露出の画像の平均輝度値と、当該合成画像の合成に使用される画像における被写体の平均輝度値の合計との比率が、合成に使用される画像の輝度情報に乗算され、被写体が適正露出とされた合成画像を生成することができる。これにより、被写体が背景と同化することを防止した合成画像を得ることができる。
【００１６】
また、上記発明において、前記画像合成部により生成された複数の合成画像に縮小処理を施して、サムネイル画像を生成する縮小処理部と、前記縮小処理部により生成されたサムネイル画像を表示する表示部とを有してもよい。
【００１７】
縮小処理部により縮小処理を施されることによって、合成画像の画像容量が低減され、多数の画像を少ない記憶容量で記憶することができる。そして、サムネイル画像として表示部に表示させることにより、ユーザに対して合成枚数の異なる複数の合成画像の中から、所望の画像に最も近い合成画像を選択させることが可能となる。
この場合において、縮小処理によれば、合成画像は高周波成分、色成分、およびコントラストを失うことを可能な限り抑えて画像容量が低減されるので、画質を維持することができる。
【発明の効果】
【００１８】
本発明によれば、被合成画像の枚数が異なる複数の合成画像を適正露出とし、適正露出とされた複数の合成画像の中から、所望する画像に最も近い合成画像をユーザに選択させることができるという効果を奏する。
【発明を実施するための最良の形態】
【００１９】
以下に、本発明の一実施形態に係るカメラについて、図面を参照して説明する。
図１および図２に示すように、本実施形態に係るカメラ１は、略直方体形状に形成されたカメラ本体３と、カメラ本体３の前面に設けられ、被写体の像を撮影する撮像装置５と、カメラ本体３の上面に設けられ、撮像装置５の操作を行うシャッタ操作部７と、例えば、背面液晶等の表示デバイスである表示部１０９とを備えている。
【００２０】
カメラ本体３は、図３に示すように、適正露出の画像を合成するために必要とされる画像の必要枚数を設定する画像枚数設定部１３０と、撮像装置５により取得される画像の露出を調節する露出調節部６と、撮像装置５により取得された画像を処理する画像処理装置１０と、画像処理装置１０により画像処理された画像を記録する記録メディア等である外部メモリ１１２と、外部メモリ１１２に記録された画像を画面表示する表示装置８と、これらを制御する制御部４とを備えている。
【００２１】
撮像装置５は、レンズ等の光学系１２０と、ＣＣＤ等の撮像部１０７とを備えており、撮像部１０７は、光学系１２０によって取得された画像にＡＤ変換を施し、ＳＤＲＡＭ１１０に出力するようになっている。
【００２２】
露出調節部６は、被写体の明るさを検知するＡＥセンサー１２１と、ＡＥセンサー１２１からの明るさ情報および画像枚数設定部１３０からの画像の必要枚数を用いて、撮像装置５の露出設定値を決定するＡＥ部１０６とを備えている。ＡＥ部１０６は、決定した露出設定値を制御部４に出力するようになっている。
【００２３】
シャッタ操作部７は、カメラ本体３の上端面に対して垂直方向に押し込み可能なシャッタボタン１２３と、シャッタボタン１２３が所定量押し込まれたことを判定するシャッタボタン判定部１０１とを備えている。シャッタボタン判定部１０１は、シャッタボタン１２３が所定量押し込まれたことを、制御部４に出力するようになっている。なお、シャッタボタン判定部１０１は、シャッタボタン１２３が所定量押し込まれている間には、制御部４への出力を継続するようになっている。
【００２４】
表示装置８は、外部メモリ１１２に記録された画像を縮小処理する縮小処理部１１１と、縮小処理部１１１により縮小処理された画像を画面に表示する表示部１０９とを備えている。
【００２５】
制御部４は、シャッタボタン判定部１０１からの情報に基づいて撮像装置５と露出調節部６とを制御するようになっている。具体的には、シャッタボタン１２３が所定量押し込まれたことが、シャッタボタン判定部１０１より入力されると、制御部４は、露出調節部６に対して、露出設定値の決定を指示するようになっている。また、シャッタボタン１２３が更に所定量押し込まれたことが、シャッタボタン判定部１０１より入力されると、制御部４は、撮像装置５に対して、露出調節部６により決定された露出設定値にて画像の取得を指示するようになっている。さらに、シャッタボタン１２３が所定量押し込まれていることが、シャッタボタン判定部１０１より継続して入力されると、制御部４は、撮像装置５を連写撮影状態に維持するようになっている。
【００２６】
画像処理装置１０は、撮像部１０７より入力された画像を一時保存するＳＤＲＡＭ１１０と、ＳＤＲＡＭ１１０に一時保存された画像を読み出して画像処理を施す画像処理部１０８と、画像処理部１０８により画像処理された画像を合成する画像合成部１２７と、画像合成部１２７により合成された画像を一時保存するフレーム記録部１１３と、画像合成部１２７にて合成に使用された画像の枚数をカウントする撮影枚数カウント部１０２と、撮影枚数カウント部１０２によりカウントされた画像の枚数および画像枚数設定部１３０により設定された画像の必要枚数を用いて、合成画像の輝度情報のゲインを算出するゲイン算出部１０３と、ゲイン算出部１０３により算出されたゲインと画像合成部１２７により合成された画像の輝度情報とを乗じることにより、合成画像の輝度情報を補正する輝度情報補正部１２６とを備えている。
【００２７】
ＳＤＲＡＭ１１０には、露出調節部６の動作により、マイナス露出とされた複数の画像（被合成画像）が撮像部１０７より入力され、ＳＤＲＡＭ１１０は、これらの画像を一時保存するようになっている。
画像処理部１０８は、ＳＤＲＡＭ１１０に一時保存された画像を読み出し、三板化や補正などの画像処理を施し、画像処理が行われた画像を画像合成部１２７に出力するようになっている。
【００２８】
画像合成部１２７は、画像処理部１０８により画像処理が施された複数の画像とフレーム記録部１１３に一時保存された画像とを合成することにより合成画像を生成し、該合成画像を輝度情報補正部１２６およびフレーム記録部１１３に出力するようになっている。
フレーム記録部１１３は、画像合成部１２７により合成された画像を一時保存し、一時保存した画像を次フレーム時に画像合成部１２７に出力するようになっている。なお、フレーム記録部１１３に一時保存された画像は、上書きされるようになっている。
【００２９】
撮影枚数カウント部１０２は、画像合成部１２７にて合成に使用された画像の枚数をカウントし、カウント結果をゲイン算出部１０３に出力するようになっている。
ゲイン算出部１０３は、撮影枚数カウント部１０２によりカウントされた画像の枚数に対する画像枚数設定部１３０により設定された画像の必要枚数の比率を算出し、算出した値をゲインとして輝度情報補正部１２６に出力するようになっている。
【００３０】
輝度情報補正部１２６は、ゲイン算出部１０３により算出されたゲインと画像合成部１２７により合成された画像の輝度情報とを乗じることにより、合成画像の輝度情報を補正し、輝度情報が補正された画像を外部メモリ１１２に出力するようになっている。
外部メモリ１１２は、輝度情報補正部１２６より出力された複数の合成画像を記録するようになっている。
【００３１】
縮小処理部１１１は、複数の合成画像を外部メモリ１１２から読み出し、縮小処理を施してサムネイル画像を生成し、表示部１０９に出力するようになっている。
表示部１０９は、縮小処理部１１１により縮小処理が施された複数の合成画像をサムネイル画像として、ユーザに目視可能に表示するようになっている。
【００３２】
このように構成された本実施形態に係るカメラの作用について、図３および図４を用いて具体的な例を挙げて以下に説明する。
本実施形態に係るカメラ１が起動されると、光学系１２０によって取得された被写体の像は、撮像部１０７の撮像面に結像される。そして、ユーザによってシャッタボタン１２３が所定量押し込まれると、シャッタボタン判定部１０１は当該情報を制御部４に出力し、制御部４はＡＥ部１０６に露出調節指示を出力する。
【００３３】
ＡＥ部１０６は、制御部４からの露出調節指示が入力されることにより、ＡＥセンサー１２１からの被写体の明るさ情報と、画像枚数設定部１３０に予め設定された、適正露出の画像を合成するために必要とされる画像の必要枚数とに基づいて露出設定値を決定する。なお、ここでは、画像の必要枚数は６枚として、画像枚数設定部１３０に予め設定されているものとして説明する。したがって、露出設定値は、ＡＥ部１０６により適正露出値の１／６として決定される。
上記のように決定された露出設定値は、制御部４を介して撮像装置５に出力され、撮像装置５は、制御部４により取得する画像が設定された露出となるように制御される。
【００３４】
そして、ユーザによってシャッタボタン１２３が更に所定量押し込まれることにより、前述のようにＡＥ部１０６の動作によってマイナス露出とされた被写体の像は、制御部４からの指示により撮像部１０７によって取得され、被合成画像としてＳＤＲＡＭ１１０に出力される。
【００３５】
ここで、シャッタボタン１２３が所定量押し込まれている間には、光学系１２０によって取得された被写体の像は連続して撮像部１０７により取得され、ＳＤＲＡＭ１１０に一時保存される。このように連写撮影された画像として、図４の画像Ａ，Ｂ，Ｃ，Ｄ，Ｅ，Ｆを例示する。
【００３６】
ＳＤＲＡＭ１１０に一時保存された被合成画像は、画像処理部１０８により画像処理が施され、画像処理が行われた被合成画像は、画像合成部１２７に出力される。
画像合成部１２７では、画像処理部１０８により画像処理が施された被合成画像とフレーム記録部１１３に一時保存された画像との合成が行われ、合成された画像は、輝度情報補正部１２６に出力される。図４において、画像Ａと画像Ｂとを合成することにより得られた画像が画像Ｘ、画像Ａから画像Ｄを合成することにより得られた画像が画像Ｙ、画像Ａから画像Ｆを合成することにより得られた画像が画像Ｚである。なお、ここでは、画像Ａ、画像Ｘ、画像Ｙ、および画像Ｚが、輝度情報補正部１２６に出力されるとして説明するが、連写順に合成された全ての合成画像を輝度情報補正部１２６に出力するものとしてもよい。
【００３７】
フレーム記録部１１３では、画像合成部１２７により合成された画像が一時保存され、一時保存された画像が次フレーム時に画像合成部１２７に出力される。なお、フレーム記録部１１３に一時保存された画像は、次フレーム時に画像合成部１２７により出力された合成画像によって上書きされる。
【００３８】
一方、撮影枚数カウント部１０２では、画像合成部１２７が合成に用いた画像の枚数がカウントされ、その結果がゲイン算出部１０３に出力される。
ゲイン算出部１０３では、撮影枚数カウント部１０２によりカウントされた画像の枚数に対する画像枚数設定部１３０により設定された画像の必要枚数の比率（ゲイン）が算出される。
すなわち、図４の画像Ａと画像Ｂとを合成することにより得られた画像Ｘにおいて、撮影枚数カウント部１０２により合成に用いた画像の枚数として２枚がカウントされ、前述のとおり画像枚数設定部１３０において画像の必要枚数は６枚として設定されているので、ゲインとして６／２が算出される。同様に、画像Ａから画像Ｄを合成することにより得られた画像Ｙのゲインは６／４、画像Ａのみのゲインは６／１と算出される。また、画像Ａから画像Ｆを合成することにより得られた画像Ｚのゲインは６／６と算出され、実質的にゲインアップは行われない。
【００３９】
そして、輝度情報補正部１２６により、ゲイン算出部１０３により算出されたゲインと画像合成部１２７により合成された画像の輝度情報とが乗算され、その輝度情報が補正される。すなわち、画像Ａ，画像Ｘ，画像Ｙ，画像Ｚの輝度情報が、それぞれ６／６倍，６／２倍，６／４倍，６／６倍されることにより、ゲインアップされた画像Ａ’，画像Ｘ’，画像Ｙ’，画像Ｚ’が得られる。
【００４０】
輝度情報調整部１２６により輝度情報がゲインアップされた画像Ａ’，画像Ｘ’，画像Ｙ’，画像Ｚ’は、外部メモリ１１２に出力されて記録される。
外部メモリ１１２に記録された複数の合成画像は、縮小処理部１１１により縮小処理が施され、表示部１０９にサムネイル画像として表示される。ここでは、例として、画像Ａ’、画像Ｘ’、画像Ｙ’、および画像Ｚ’が表示されることとなる。これらの画像は、それぞれゲインアップされることにより、適正露出の画像とされている。
【００４１】
以上説明したように、本実施形態に係るカメラによれば、撮像装置５によりマイナス露出で取得された複数の画像から選択した枚数の異なる複数組の画像を画像合成部１２７により合成し、取得された画像または合成画像の輝度情報を輝度情報補正部１２６により補正することによって、合成枚数の異なる複数の合成画像を適正露出とすることができる。その結果、複数の画像を重ね合わせる多重露光撮影を、条件を変えて複数回行った場合と同等の効果を得ることができ、所望の画像に近い合成画像を得ることが可能となる。
【００４２】
ここで、シャッタスピードを速くすることにより得られたマイナス露出の画像を合成することにより、ブレのない鮮明な適正露出の画像を得ることができる。また、絞りを絞ることにより得られたマイナス露出の画像を合成することにより、被写界深度の深い適正露出の画像を得ることができる。さらに、感度を低下させることにより得られたマイナス露出の画像を合成することにより、ノイズの少ない適正露出の画像を得ることができる。
【００４３】
また、画像枚数設定部１３０により設定された必要枚数に基づいて、撮像装置５の露出を調節することで、必要枚数の画像を合成する場合には、合成により適正露出の合成画像を容易に生成することができる。また、必要枚数に満たない画像を合成する場合には、その輝度情報を増幅して適正露出の合成画像を得ることができる。
また、露出情報として画像の枚数を用いることによって、より容易に適正露出の合成画像を生成することができる。
【００４４】
また、縮小処理部１１１により縮小処理を施されることによって、合成画像の画像容量が低減され、多数の画像を少ない記憶容量で記憶することができる。そして、サムネイル画像として表示部１０９に表示させることにより、ユーザに対して露出の異なる複数の合成画像の中から、所望の画像に最も近い合成画像を選択させることが可能となる。
この場合において、縮小処理によれば、合成画像は高周波成分、色成分、およびコントラストを失うことを可能な限り抑えて画像容量が低減されるので、画質を維持することができる。
【００４５】
なお、本実施形態では、画像処理装置としてハードウェアによる処理を前提としていたが、このような構成に限定されるものではない。例えば、別途ソフトウェアにて処理する構成も可能である。この場合、画像処理装置は、ＣＰＵ、ＲＡＭ等の主記憶装置、上記処理の全て或いは一部を実現させるためのプログラムが記録されたコンピュータ読み取り可能な記録媒体を備えていればよい。そして、ＣＰＵが上記記憶媒体に記録されているプログラムを読み出して、情報の加工・演算処理を実行することにより、上述の画像処理装置と同様の処理を実現させることができる。ここでコンピュータ読み取り可能な記録媒体とは、磁気ディスク、光磁気ディスク、ＣＤ−ＲＯＭ、ＤＶＤ−ＲＯＭ、半導体メモリ等をいう。
【００４６】
上記のソフトウェアによる具体的な処理について、図５に示すフローチャートに基づいて以下に説明する。
まず、ユーザによって１枚の合成画像を生成するために必要となる画像の枚数Ｎの設定が行われる（Ｓ１）。
次に、ユーザによってシャッタボタンが押され、連写モードによって撮影が開始されると（Ｓ２）、Ｓ１にて設定された必要枚数Ｎに基づいて合成前の画像の露出が設定され（Ｓ３）、合成枚数のカウント値ｋがリセットされる（Ｓ４）。
次に、撮像部により撮影された画像が被合成画像としてＳＤＲＡＭ等の記憶手段に一時保存される（Ｓ５）。そして、所定の画像処理が施された後に、フレーム記録部に一時保存された画像と合成され（Ｓ６）、合成枚数ｋをカウントする（Ｓ７）。このように合成された画像が、１フレーム分の画像データ記録Ｆである。
【００４７】
次に、このようにして生成された合成画像に対して、必要枚数Ｎと合成枚数ｋとに基づいて算出されたゲインが乗じられる（Ｓ８）。
そして、上記の処理が行われた合成画像は、外部メモリに出力されて記録され（Ｓ９）、表示部にサムネイル画像として表示される（Ｓ１０）。
【００４８】
次に、シャッタボタンの押下が解除されているか否かの判定が行われ（Ｓ１１）、解除されていない場合にはＳ５に戻り、シャッタボタンの押下が解除されている場合には複数の合成画像を表示部にサムネイル画像として表示し、連写撮影が終了する（Ｓ１２）。なお、Ｓ１１において、シャッタボタンの押下が解除されていない場合には、Ｓ３に戻り、露出の変更をその都度行うこととしてもよい。
【００４９】
また、本実施形態に係るカメラの変形例として、図６に示すように、撮影枚数カウント部１０２の代わりに、画像の中の被写体を検出する被写体検出部１４０と、被写体検出部１４０により検出された被写体の平均輝度値を算出する平均輝度値算出部１４１とを設けてもよい。被写体検出部１４０は、例えば、時間間隔をあけて取得された２枚の画像を比較して動きのある領域を特定することにより、該領域を被写体として検出する。
【００５０】
本変形例に係るカメラによれば、平均輝度値算出部１４１が被写体検出部１４０により検出された被写体の平均輝度値を算出し、ゲイン算出部１０３が、予め設定された適正露出の画像の平均輝度値と、合成に使用される画像について平均輝度値算出部１４１により算出された被写体の平均輝度値の合計との比率を算出する。そして、輝度情報補正部１２６により、ゲイン算出部１０３により算出された比率が合成に使用される画像の輝度情報に乗算されるので、被写体が適正露出とされた合成画像を生成することができる。これにより、被写体が背景と同化することを防止した合成画像を得ることができる。
【図面の簡単な説明】
【００５１】
【図１】本発明の第１の実施形態に係るカメラの上面図である。
【図２】図１に示すカメラの背面図である。
【図３】図１に示すカメラが備える機能を展開して示した機能ブロック図である。
【図４】図１に示すカメラの具体的な動作を説明する図である。
【図５】図１に示すカメラの処理手順を示すフローチャートである。
【図６】本発明の変形例に係るカメラが備える機能を展開して示した機能ブロック図である。
【符号の説明】
【００５２】
１  カメラ
３  カメラ本体
４  制御部
５  撮像装置
６  露出調節部
７  シャッタ操作部
１０，２０  画像処理装置
１０２  撮影枚数カウント部
１０３  ゲイン算出部
１０８  画像処理部
１０９  表示部
１１０  ＳＤＲＡＭ
１１１  縮小処理部
１１３  フレーム記録部
１１２  外部メモリ
１２６  輝度情報補正部
１２７  画像合成部
１３０  画像枚数設定部
１４０  被写体検出部
１４１  平均輝度値算出部
【図１】
2009055278.tif 000003
【図２】
2009055278.tif 000004
【図３】
2009055278.tif 000005
【図４】
2009055278.tif 000006
【図５】
2009055278.tif 000007
【図６】
2009055278.tif 000008